(57)【要約】【課題】  マルチキャストメッセージの目標を定める方法を提供する。【解決手段】  本発明にかかる方法は、１人または複数のユーザに関連するユーザ情報を収集するステップと、ユーザ情報を１つまたは複数の関心カテゴリに類別するステップと、ユーザのそれぞれを関心カテゴリのうちのいずれかに関連付けるステップと、サービス提供者からサービス情報を受け取るステップと、受け取ったサービス情報と関心カテゴリのうちのいずれかの間の関連性を確定することにより少なくとも１つの関連付けられた関心カテゴリを確定する、関連性を確定するステップと、少なくとも１つの関連付けられた関心カテゴリを使用してユーザを選択することにより選択されたユーザを確定する、選択するステップと、マルチキャストメッセージを使用して受け取ったサービス情報を選択されたユーザに通信するステップとを含む。
2006502467.tif 000002
【特許請求の範囲】
【請求項１】
マルチキャストメッセージの目標を定める方法であって、
１人または複数のユーザに関連するユーザ情報を収集するステップと、
ユーザ情報を１つまたは複数の関心カテゴリに類別するステップと、
前記ユーザのそれぞれを前記関心カテゴリのうちのいずれかに関連付けるステップと、
サービス提供者からサービス情報を受け取るステップと、
該受け取ったサービス情報と前記関心カテゴリのうちのいずれかの間の関連性を確定することにより少なくとも１つの関連付けられた関心カテゴリを確定する、関連性を確定するステップと、
前記少なくとも１つの関連付けられた関心カテゴリを使用してユーザを選択することにより選択されたユーザを確定する、ユーザを選択するステップと、
前記マルチキャストメッセージを使用して前記受け取ったサービス情報を前記選択されたユーザに通信するステップと、
を含むマルチキャストメッセージの目標を定める方法。
【請求項２】
ユーザ情報を収集する前記ステップは、
前記ユーザによって直接提供される情報を収集すること
を含む
請求項１に記載の方法。
【請求項３】
ユーザ情報を収集する前記ステップは、
前記ユーザによって実行されるトランザクションから情報を収集すること
を含む
請求項１に記載の方法。
【請求項４】
関連付ける前記ステップは、
格納された情報にアクセスするステップ
を含む
請求項１に記載の方法。
【請求項５】
前記サービス提供者からサービス情報を受け取る前記ステップは、
インターネットワークを介して前記サービス情報を受け取ること
を含む
請求項１に記載の方法。
【請求項６】
関連性を確定する前記ステップは、
前記サービス提供者のそれぞれに関連する関心グループを選択するステップ
を含む
請求項１に記載の方法。
【請求項７】
ユーザを選択する前記ステップは、
個人化フィルタを適用すること
を含む
請求項１に記載の方法。
【請求項８】
前記ユーザ情報を、前記１人または複数のユーザに間接的に関連付けることにより、前記１人または複数のユーザのアイデンティティを保護するステップ
をさらに含む請求項１に記載の方法。
【請求項９】
選択されたユーザにサービス情報をマルチキャストするシステムであって、
記憶デバイスを有するプロフィールルータと、
該プロフィールルータに接続された通信ネットワークと
を具備し、
前記プロフィールルータは、前記通信ネットワークを介してサービス提供者からサービス情報を受け取り、該サービス情報に対する受取人を特定し、該特定された受取人に対しマルチキャストを介して該サービス情報を送信する
システム。
【請求項１０】
前記通信ネットワークに接続され、前記サービス情報の前記マルチキャストを受け取るモバイル機器と通信する基地局
をさらに具備する請求項９に記載のシステム。
【請求項１１】
前記記憶デバイスは、
データベース
を含む
請求項９に記載のシステム。
【請求項１２】
前記プロフィールルータは、
前記ユーザのうちのいずれかと関心カテゴリの間の関連性を格納するメモリ
をさらに備える
請求項９に記載のシステム。
【請求項１３】
前記関心カテゴリは、前記ユーザから直接受け取った情報に基づいて特定される
請求項１２に記載のシステム。
【請求項１４】
前記関心カテゴリは、前記ユーザによって実行されるトランザクションに基づいて動的に特定される
請求項１２に記載のシステム。
【請求項１５】
前記サービス情報と、１つ以上の関心カテゴリの間の関連性とを格納するメモリ
をさらに具備する請求項９に記載のシステム。
【請求項１６】
前記関心カテゴリを、前記ユーザのうちの１人または複数に関連付けるメモリ
を具備する請求項９に記載のシステム。
【請求項１７】
受取人を選択しマルチキャストメッセージを送信する、コンピュータ読取可能媒体に格納されたコンピュータ読取可能コードであって、
１人または複数のユーザに関連するユーザ情報を収集する第１のサブプロセスと、
ユーザ情報を１つまたは複数の関心カテゴリに類別する第２のサブプロセスと、
前記ユーザのそれぞれを前記関心カテゴリのうちのいずれかに関連付ける第３のサブプロセスと、
サービス提供者からサービス情報を受け取る第４のサブプロセスと、
該受け取ったサービス情報と前記関心カテゴリのうちのいずれかの間の関連性を確定するサブプロセスであって、それにより少なくとも１つの関連付けられた関心カテゴリを確定する第５のサブプロセスと、
前記少なくとも１つの関連付けられた関心カテゴリを使用してユーザを選択することであって、それにより選択されたユーザを確定する、ユーザを選択する第６のサブプロセスと、
前記マルチキャストメッセージを使用して前記受け取ったサービス情報を前記選択されたユーザに通信する第７のサブプロセスと
を含むコンピュータ読取可能コード。
【請求項１８】
前記第１のサブプロセスは、
前記ユーザによって直接提供される情報
を含む
請求項１７に記載のコンピュータ読取可能コード。
【請求項１９】
前記第１のサブプロセスは、
前記ユーザによって実行されるトランザクションから導出される情報
を含む
請求項１７に記載のコンピュータ読取可能コード。
【請求項２０】
前記第３のサブプロセスは、
表に格納された情報にアクセスすること
を含む
請求項１７に記載のコンピュータ読取可能コード。
【発明の詳細な説明】
【技術分野】
【０００１】
本発明は、包括的にはネットワーク上で選択された情報の配布に関し、より詳細には、マルチキャスティングによる選択された個人への情報の配布に関する。
【背景技術】
【０００２】
［発明の背景］
今日、モバイル情報配布システムは、ビジネスおよび個人向けアプリケーションで広く使用されている。
これらのシステムにより、携帯電話ユーザは、他の携帯電話ユーザと通信し、インターネットサイト（たとえば、オンラインショッピングおよびバンキング、チケット予約またはレストランアドバイス）にアクセスし、配布されたメッセージ（たとえば、電子メールまたは他のショートメッセージ）を受け取ることができる。
これらのモバイルシステムの爆発的な発展により、モバイルシステムは、ビジネスがその顧客とおよび互いと対話する方法を根本から変えた。
この可能性は、モバイルシステムの急速な発展において明らかである。
【０００３】
今日、モバイルシステムによっては、制限されたメッセージサービスを提供する。
「ショトメッセージサービス（Short Messaging Service(ＳＭＳ)）」は、携帯電話間の短いテキストメッセージの送信である。
メッセージには、概して、制限された数のテキスト文字が含まれ、画像またはグラフィックスは除外される。
ＳＭＳを使用してメッセージを携帯電話に送信するためには、送信側が、ショートメッセージサービスセンター（Short Message Service Center（ＳＭＳＣ））を使用してメッセージを携帯電話に送信する。
ＳＭＳＣは、携帯電話の位置を特定し、携帯電話を呼び出すことにより配信を試み、電話が応答すると、メッセージを配信する。
ＳＭＳＣはまた、メッセージが携帯電話によって受信されたという確認を受け取る場合もある。
【０００４】
ＮＴＴ  ＤｏＣｏＭｏから提供される「ｉモード（商標）」は、モバイルシステム提供者が情報を携帯電話に配信するためにとる別の手法である。
ｉモードは、携帯電話ユーザに対するマルチメディアサービスと、情報（たとえば、チッカー、天気、交通情報）へのアクセスと、他のユーザと通信する通信サービス（たとえば、電子メールまたはインスタントメッセンジャー等のリアルタイム通信）と、を提供する。
ｉモードは、ＪＡＶＡ（登録商標）技術等の技術を携帯電話に組み込んでいる。
【０００５】
モバイルシステムによっては、携帯電話ユーザに対しリコメンデーション（推薦）を提供する。
これらのリコメンデーションシステムは、ユーザの携帯電話にメッセージ（電子メールまたはＳＭＳ）を送信することにより、ユーザに対し一般的なリコメンデーションを行うことができる。
リコメンデーションシステムは、リコメンデーションを、携帯電話ユーザによりあらかじめ確立されたさまざまな静的属性（個人化フィルタ（personalized filter）としても知られる）に基づいてもよい。
たとえば、個人化フィルタは、さまざまな関心カテゴリ（たとえば、ボート乗り、コンピュータ、スポーツ）、プロフィールデータ（たとえば、高齢の男性）または位置情報（たとえば、米国東部、ワシントンＤ．Ｃ．）に基づいて情報をフィルタリングしてもよい。
協調フィルタリング（ＣＦ）システムは、あるユーザに対し他のユーザの特性に基づいて項目を推薦することができる特定のタイプのリコメンデーションシステムである。
【０００６】
複数のユーザに情報を配布するために、マルチキャスティング、すなわち単一ポイントから受取人の選択グループへの情報の送信を使用してもよい。
マルチキャスティングセッションに参加しているグループのみがそのグループのセッションに対するトラフィックを実際に受け取る。
たとえば、複数のユーザを含むビデオ会議は、ビデオおよび音声を発しているユーザが一度に複数のユーザに対して情報を配布するため、マルチキャスティングを伴う場合がある。
マルチキャスティングがない場合、同じ情報を複数回ネットワークによって送信することになる。
【特許文献１】米国特許出願公開第２００１／０３６２２４号
【特許文献２】国際公開第０１  ７６１２０号
【特許文献３】米国特許第６０４４４０３号
【特許文献４】国際公開第９７  ４１６５４号
【特許文献５】米国特許第５８４８３９６号
【特許文献６】米国特許第５８８７２５２号
【特許文献７】米国特許第６１０４７０９号
【非特許文献１】BUSSEY H E ET AL: "Service architecture, prototype description, and network implications of a personalized information qrazing service", MULTIPLE FACETS OF INTEGRATION. SAN FRANSISCO, JUNE 3-7, 1990, PROCEEDINGS OF THE ANNUAL JOINT CONFERENCE OF THE COMPUTER AND COMMUNICATIONS SOCIETIES (INFOCOM), WASHINGTON, IEEE COMP. SOC. PRESS, US, vol. 2 CONF. 9, 3 JUNE 1990 (1990-06-03), pages 1046-1053, XP010019493, ISBN: 0-8186-2049-8
【非特許文献２】KOHDA Y ET AL: "UBIQUITOUS ADVERTISING ON THE WWW: MERGING ADVERTISEMENT ON THE BROWSER", COMPUTER NETWORKS AND ISDN SYSTEMS, NORTH HOLLAND PUBLISHING. AMSTERDAM, NL, vol. 28, 1 May 1996 (1996-05-01), pages 1493-1499, XP002037594, ISSN: 0169-7552
【発明の開示】
【発明が解決しようとする課題】
【０００７】
モバイル通信が急増し続けることにより、新たなメッセージトラフィックを移送するために無線インフラストラクチャを付随して追加する必要なしに、追加のサービスをサポートする要求がかつてないほど増大している。
したがって、既存の設備を使用して追加のサービスを提供するシステムおよび方法が必要とされている。
【課題を解決するための手段】
【０００８】
本発明の実施形態は、マルチキャストメッセージの目標を定める方法であって、１人または複数のユーザに関連するユーザ情報を収集するステップと、ユーザ情報を１つまたは複数の関心カテゴリに類別するステップと、ユーザのそれぞれを関心カテゴリのうちのいずれかに関連付けるステップと、サービス提供者からサービス情報を受け取るステップと、受け取ったサービス情報と関心カテゴリのうちのいずれかの間の関連性を確定することにより少なくとも１つの関連付けられた関心カテゴリを確定する、関連性を確定するステップと、少なくとも１つの関連付けられた関心カテゴリを使用してユーザを選択することにより選択されたユーザを確定する、ユーザを選択するステップと、マルチキャストメッセージを使用して受け取ったサービス情報を選択されたユーザに通信するステップと、を含む方法を提供する。
【０００９】
本発明の別の実施形態は、選択されたユーザにサービス情報をマルチキャストするシステムであって、記憶デバイスを有するプロフィールルータと、プロフィールルータに接続された通信ネットワークと、を具備し、プロフィールルータは、通信ネットワークを介してサービス提供者からサービス情報を受け取り、サービス情報に対する受取人を特定し、特定された受取人に対しマルチキャストを介してサービス情報を送信する、システムを提供する。
【発明を実施するための最良の形態】
【００１０】
［詳細な説明］
図１は、本発明の一実施形態による方法を表すフローチャートを示す。
ステップ１０１において、それぞれのユーザ、たとえば、携帯電話加入者および／または携帯情報端末（ＰＤＡ）等の他のモバイルデータ端末装置のユーザから、関連情報を収集する。
ここで、関連情報は、リコメンデーション、メッセージおよび／または上述したユーザに関連する他の情報等の情報を選択的に配布するために使用してもよい情報を定義するために使用する。
この情報を、複数の方法または方法の組合せで収集してもよい。
たとえば、調査、アンケート、またはユーザの関心を直接導き出すための他の手段をユーザに送信してもよい。
調査またはアンケートを、ハードコピー（紙形態）でユーザに送っても、あるいはイントラネットまたはインターネット等のインターネットワーク等の通信ネットワークにより電子メール（ｅメール）を介して電子的にユーザに送信してもよい。
別法としてまたはさらに、ユーザ動作（たとえば、ウェブサーフィンの習慣（web surfing habit）、以前の購入、ウェブ検索、ウェブページ評価または意見、インターネットリサーチ）を追跡または解析することにより、それぞれのユーザの関心を確定してもよく、または協調フィルタリングの場合は、他の関連ユーザの関心を確定してもよい。
なお、２つの方法を結合することによりユーザによって最初に特定された関心の第１のセットがあってもよく、システムは、新たなユーザ動作（または他のユーザ動作）を使用して関心の変化に対してシステムを検査しまたは更新してもよい。
【００１１】
ステップ１０２において、ステップ１０１で収集した情報を編成して、関心カテゴリを確定し、ユーザと関心カテゴリの間の適切な関連性をもたらす。
たとえば、関心カテゴリが写真撮影である場合、写真撮影に対する関心を示したいかなるユーザも、この関連性に含めてもよい。
さらに、写真撮影に対する興味を直接示さなかったユーザについても、システムが、たとえば市場調査会社から入手可能な何らかの形態の調査結果を使用して、そのユーザによる動作が写真撮影に対する関心を示すことを認識した場合にも関わらず、そのユーザをこのカテゴリに含めてもよい。
かかる場合、システムは、そのユーザに対し写真撮影を関心カテゴリとして含めるように推薦してもよい。
なお、関心カテゴリは、写真撮影のように広くても昆虫の撮影のように狭くてもよい。
他の関心カテゴリには、これらの例より広くても狭くてもよい。
関心カテゴリは、カメラ製造業者、カメラタイプ、カメラモデル、白黒写真撮影またはカラー写真撮影もしくは同様の分類があってもよい。
職業別電話帳および同様の商工名鑑で使用するもの等の事前定義されたカテゴリを組み込んでもよく、あるいは、ユーザ入力および関心に基づく等、事前定義されたカテゴリを動的に構築してもよい。
また、同じ挙動または述べられた関心に基づいて、ユーザをいくつかの関心カテゴリに含めてもよい。
たとえば、ユーザを写真撮影関心カテゴリに関連付けることにより、カラー写真撮影カテゴリと昆虫写真撮影カテゴリとを各々、個人からの完成した調査からの回答および／または個人のユーザ動作から収集された情報に基づいてもよい。
【００１２】
ユーザの関心を直接反映する可能性のない情報を、カテゴリをユーザに関連付けるためまたはユーザに情報を提供するために他の方法で使用してもよい、ということを理解すべきである。
たとえば、個人の位置を関心カテゴリとして使用してもよく、あるいは、ユーザに提供される情報を確定するために他の方法で使用してもよい。
ＯＮ−ＳＴＡＲ（登録商標）システム、携帯電話および他のモバイル機器等のモバイル機器は、機器の位置の特定を可能にする機能を有する場合がある。
システムによっては、この機能を、ホームロケーションレジストリ（Home Location Registry（ＨＬＲ））と呼ぶ。
周期的間隔（たとえば、１〜２秒間）で、ＨＬＲは、携帯電話等のモバイルユニットの位置を特定する。
より正確な位置情報は、携帯電話システムに組み込まれる、ＦＣＣが要求する自動位置特定（Automatic Location Identification（ＡＬＩ））機能を使用して予想する。
たとえば衛星ベースの全地球測位システム技術を使用するこれらのシステムは、それらの位置の５０ｍ以内でユーザを突き止める。
これにより、たとえば、個人がイタリア料理に対する関心を示し、ユーザの携帯電話によって特定されるユーザの現在位置が、ランチスペシャルに関連するサービス情報を配布することを要求したイタリアンレストランサービス提供者から２ブロック離れている場合、そのランチスペシャルに関する情報を、ユーザの位置と、ユーザがイタリア料理に対する関心を有することが事前に特定されたこととに基づきユーザに送信してもよい。
したがって、特定のカテゴリを、ユーザに送信される情報を特定するために個々に使用してもよく、あるいは結合してサービス情報の配布の目標をより正確に絞ってもよい、ということを理解すべきである。
【００１３】
ステップ１０３において、サービス提供者からサービス情報を受け取る。
サービス提供者は、たとえば、いかなる商人、小売店、配給業者、個人、会社、企業、もしくは他人に配布したいメッセージ、広告または情報を所有している他の組織であってもよい。
このサービス情報を、インターネット等の通信ネットワークによりリアルタイムで送信してもよく、あるいは他の方法によって送信してもよく、好ましくは後に使用するためにシステムに格納する。
この情報を、サービス提供者が電話によって送信し、個人がシステムのプロフィールプロキシサーバ２０１（図２）に直接入力してもよい。
サービス情報には、価格、ランチ、製品入手可能性、特別割引またはサービス提供者からユーザに送信される他の任意の情報の詳細が含まれてもよい。
【００１４】
ステップ１０４において、受け取ったサービス情報と関心カテゴリの間の関連性を確定する。
この関連性は、一対一、一対他または他対一のいずれの関連性であってもよい。
一対一関連性は、組織がその製品の事前の購入者に対し回収通知を送出するのに適当な場合がある。
この場合、「購入された製品」関心グループ外の人は誰も情報を受け取る必要がない。
一対他関連性は、可能な限り多くの個人に製品を販売したい小売店に適当な場合がある。
たとえば、カラーフィルムの販売に関連する情報を配布したい小売店は、半径１／２マイル内のユーザ、たとえば、写真撮影の関心カテゴリを示した近くのだれでも、またはカラーフィルムに関連するユーザ動作を有するだれでも（たとえば、１週間以内にカラーフィルムを２つ購入したユーザ）に対し、情報を配布したい場合がある。
他対一関連性は、写真撮影関心グループのだれにでも配布したい複数の撮影製品に関連する情報を有する小売店に適当な場合がある。
【００１５】
サービス情報と関心カテゴリの間の関連性を、複数の異なる方法で確定してもよい。
たとえば、知識豊富なサービス提供者は、自身のサービス情報を配布するよう望む関心カテゴリを明示的に述べてもよい。
また、関心カテゴリを、サービス情報から確定してもよい。
サービス情報から関心カテゴリを確定することを、自然言語選択技法を使用して実行してもよく、あるいはキーワードまたは属性についてサービス情報を検索することにより実行してもよい。
また、関心カテゴリを、サービス情報を供給するサービス提供者によって確定してもよい。
なお、サービス情報と関心カテゴリの間の関連性を確定する方法のこれらの例は、例として提供するものであり本発明を限定するように意図するものではない。
【００１６】
本発明の一実施形態では、複数のユーザを関心カテゴリに関連付けるために、表（図３に示す）を使用する。
さらに、サービス提供者またはサービス情報を関心カテゴリに関連付けるために、表を使用してもよい（図５）。
このサービス情報と関心カテゴリの間の関連性もまた、事前定義してもよい。
さらに、自然言語処理を使用して、サービス情報に含まれるフリーテキスト情報をサービス分類または関心カテゴリに変換してもよい。
【００１７】
ステップ１０５において、サービス情報と関心カテゴリの間の関連性を使用して、ユーザのいずれがそのサービス情報を受け取るかを確定してもよい。
たとえば、現システムに１０００人のユーザが含まれ、これらのユーザのうちの１００人が写真撮影関心カテゴリ内で識別される場合、写真撮影に関連するサービス情報は、写真撮影関心カテゴリに含まれる１００人のユーザに対してのみ送信される。
この選択するステップを、サービス情報に適用されるフィルタおよび／またはユーザの個々の特性を含む個人化フィルタを用いて実行してもよい。
【００１８】
ステップ１０６において、サービス情報を選択されたユーザに通信してもよい。
なお、サービス情報自体または関連するサービス情報を、選択されたユーザに通信してもよく、この通信を、インターネットまたは他の任意の通信ネットワークを介して送信してもよい。
１対他関連性の場合等、同一メッセージを複数の個人に送信する場合、メッセージ資源を節約するためにマルチキャストメッセージを使用してもよい。
適当なマルチキャストシステムは、たとえば、ともに参照により本明細書に援用される、「Multi-cast Transmission for DS-CDMA Cellular Telephones」と題するNonemanに対する米国特許第５，８８７，２５２号と、「Channel Assignment Within A Broad-Band Communication System」と題するRinchiuso他に対する米国特許第６，１０４，７０９号と、において記載されている。
【００１９】
本発明の一実施形態では、ユーザのアイデンティティを、数字または他の一意の非識別表現によって個人を特定することにより保護する。
たとえば、各ユーザに対し、各々の関心カテゴリと、サービス情報をそれらユーザに通信する方法とに関連する一意の１０位の数字をランダムに割り当ててもよい。
なお、この実施形態では、一意の非識別表現をたとえばユーザのＩＰアドレスと相関させるマッピングまたはペア化を行う。
【００２０】
一実施形態では、本発明を広告に使用してもよい。
ユーザの各々に対して乱数を割り当ててもよく、関心カテゴリへの初期関連性を、ユーザに送信される調査に対する応答に基づいて確定してもよい。
追加のユーザ動作を使用して、初期関連性を更新しユーザと関心カテゴリの間の「利用可能な最高の」関連性を維持してもよい。
関心カテゴリを、ユーザの特性および選好および／または基礎をなす主題に基づいて動的に作成し、更新し、破棄してもよい。
たとえば、関心カテゴリを、それが最初に市場で入手可能となる時に作成し市販薬と関連性、市販薬が市場から取り除かれた時に破棄または削除してもよい。
【００２１】
ユーザを、複数の関心カテゴリに関連付けてもよい。
第１のユーザを、写真撮影、運動、ランニング、減量、筋肉増強およびビデオゲームの関心グループに関連付けてもよい。
また、第１のユーザを、コロンビア特別区で突き止められてもよい。
第２のユーザを、写真撮影、プロフットボール、冬季オリンピック、フィギュアスケートおよび育児の関心カテゴリに関連付けてもよく、ジョージア州アトランタで突き止めてもよい。
運動器具を全国的に販売するサービス提供者は、本発明を使用して、サービス情報を第１のユーザには送信するが第２のユーザには送信しなくてもよい。
同様に、冬季オリンピックのチケットを販売する第２のサービス提供者は、本発明を使用して、サービス情報を第２のユーザには送信するが第１のユーザには送信しなくてもよい。
しかしながら、割引された写真機材の第３のサービス提供者は、本発明を使用して、サービス情報を第１のユーザと第２のユーザとの両方に送信してもよい。
代替的に、コロンビア特別区において写真機材の割引価格を提供する第４のサービス提供者は、その特別区に居住する第１のユーザに対してのみサービス情報を送信してもよい。
【００２２】
図２は、フィルタリングを通して選択されたユーザに対するマルチキャストメッセージの送信のためのシステムの一実施形態のブロック図である。
この実施形態は、複数の機器に対して電子サービス通知を配信するために標準マルチキャストネットワークを使用するアーキテクチャを含む。
サービスを、この実施形態により、無線ネットワークによってマルチキャストを介してブロードキャストする。
上述したように、ユーザは、少なくとも部分的に自身の位置に基づいてサービス情報を受け取ってもよい。
たとえば、特定の基地局の範囲内にいるユーザまたは機器が、それらが基地局に近接していることに基づいてサービス情報またはメッセージを受け取ってもよい。
これを、「位置」関心カテゴリによって達成してもよい。
【００２３】
図２の実施形態は、プロフィールプロキシサーバ２０１と通信ネットワーク２１３とを備えた、選択されたユーザにサービス情報をマルチキャストするシステムを示す。
なお、図２はプロフィールプロキシサーバ２０１を含むが、本発明により、好ましくは、関心カテゴリをユーザおよび／またはサービス提供者に関連付けるために使用されるプロフィールルータまたは他の任意の設備も含まれる。
プロフィールプロキシサーバ２０１は、好ましくは、ユーザデータを取得しユーザの選好に関連するカスタムプロフィールを構築するパーソナルプロファイリングエンジンまたはプロセッサを有する。
パーソナルプロファイリングエンジンはまた、サービス情報と関心カテゴリの間の関連性を行う自然言語処理能力を有してもよい。
図示する実施形態のプロフィールプロキシサーバ２０１は、プロフィールデータベース２０２として示す記憶デバイスを有する。
【００２４】
通信ネットワーク２１３は、プロフィールプロキシサーバ２０１とサービス提供者２０３との間の通信を提供することができる、イントラネット、インターネット等のインターネットワーク、公衆交換電話網（ＰＳＴＮ）、携帯またはパーソナル通信システム（personal communications system（ＰＣＳ））ネットワークまたは他の任意のネットワーク等の無線ネットワークまたは他の送信媒体、もしくはそれらの組合せからなってもよい。
さらに、通信ネットワーク２１３は、プロフィールプロキシサーバ２０１と、携帯電話または他の無線機器２０６、２０７、２０８、２０９および２１０のユーザとの間の通信を提供することができる、上述したネットワークまたは他の送信媒体もしくはそれらの組合せのうちの任意のものからなってもよい。
しかしながら、プロフィールプロキシ２０１と１つまたは複数のサービス提供者２０３との間および／またはプロフィールプロキシサーバ２０１と１つまたは複数のユーザ機器２０６〜２１０との間の通信を提供するために別々のネットワークを利用してもよい、ということは理解しなければならない。
【００２５】
サービス提供者２０３等のサービス提供者は、通常、提供者自身を特定することができるＩＰアドレスおよびポートを有する。
プロキシサーバは、好ましくは、クライアントとワールドワイドウェブ上のサービス提供者等のサービスとの間の媒介として作用する。
【００２６】
プロフィールプロキシサーバ２０１は、好ましくは、通信ネットワーク２１３を介してサービス提供者２０３からサービス情報を受け取る。
プロフィールプロキシサーバ２０１はまた、好ましくは、通信ネットワーク２１３を介して、サービス情報を１人または複数のユーザの携帯電話２０６〜２１０に選択的にマルチキャストする。
たとえば、インターネット技術標準化委員会（Internet Engineering Task Force（ＩＥＴＦ））リクエストフォーコメント（Request for Comments（ＲＦＣ））２２３６において記述されているようなインターネットグループ管理プロトコル（Internet Group Management Protocol（ＩＧＭＰ））を使用して、プロフィールプロキシサーバ２０１等のＩＰホストによるマルチキャスティングを実施してもよい。
なお、ユーザの携帯電話２０６〜２１０のうちの１つまたは複数等の携帯電話によっては、ワールドワイドウェブにアクセスしそれをナビゲートするように構成される場合がある。
【００２７】
例示する実施形態の通信ネットワーク２１３は、標準ルータ２０４と、ネットワークルータ２１２と、基地局２０５と、携帯電話基地局２１１と、を有する。
ルータ２１２および２０４は、好ましくは、電子メールまたはテキストメッセージ等の情報を提供されたアドレスに転送し、情報の送信を達成するために情報を個々のパケットに分割してもよい。
基地局２０５および２１１は、好ましくは、インターネット等のランドラインが、無線の携帯情報端末（ＰＤＡ）および携帯電話等のモバイル機器と通信するのを可能にする。
【００２８】
プロフィールプロキシサーバ２０１は、ユーザと関心カテゴリの間の関連性を含んでもよい。
関心カテゴリは、ユーザから直接受け取った入力に基づいても、あるいはユーザ動作から収集された情報から間接的に基づいてもよい。
プロフィールプロキシサーバ２０１はまた、サービス提供者２０３から受け取ったサービス情報と関心カテゴリの間の関連性を確定するように構成される中央処理装置を有してもよい。
この関連性を、プロフィールプロキシサーバ２０１またはプロフィールデータベース２０２に存在する表形式を使用して達成してもよい。
【００２９】
なお、プロフィールは好ましくは、携帯電話２０６〜２１０のユーザに関連する。
これらのプロフィールは、携帯電話２０６〜２１０に関連するユーザの関心カテゴリと位置とを特定してもよい。
プロフィール情報を、プロフィールプロキシサーバ２０１またはプロフィールデータベース２０２内に格納してもよい。
単一のプロフィールプロキシサーバを示すが、説明した機能は、単一サーバに存在してもよく、あるいは説明したアクティビティを達成するように多数の協働するサーバ間で分割されてもよい。
なお、本発明において、携帯電話に加えてまたはその代わりに、たとえば双方向ページャ、ＰＤＡ等の他の形態の無線機器を使用してもよい。
【００３０】
本発明の別の実施形態は、ローカルネットワークにおける少なくとも１人のユーザまたはクライアントに対してサービス通知を要求するかまたは他の方法でそれを受ける対象となるように要求する登録プロセスを介して、いくつかのネットワークにマルチキャストされる電子サービス通知を使用してもよい。
たとえば、サービス提供者（小売店）が１マイル範囲内のユーザに陶器類に関するサービス情報を送信したいと望み、定義された距離内にユーザまたはクライアントがいなかった場合、マルチキャストメッセージは送信されない。
【００３１】
図３は、いずれの個々のユーザが特定の関心カテゴリに関連するサービス情報を受け取るかを確定するために使用する好ましい実施形態の表を示す。
各個々のユーザに対し、好ましくは、列３０１において一意の番号（たとえば、１、２、３）または他の識別子を割り当てる。
また、好ましくは、表の行３０２において、複数の関心カテゴリ（たとえば、写真撮影、ボート乗り、イタリア料理、ランニング）も含む。
表の「Ｘ」は、個人が関心カテゴリに含まれる等の関連性を示す。
「Ｏ」は、個人が関心カテゴリに含まれないかまたは関連付けられないことを示す。
たとえば、ユーザ「１」は、写真撮影およびボート乗りには関心があるがイタリア料理またはランニングには関心がない。
したがって、ユーザ「１」は、本発明の好ましい実施形態により写真撮影およびボート乗りのみに関連する情報を受け取る。
なお、図３は、単に例示の目的で使用するものであり、本発明を限定するように意図されていない。
本発明は、ユーザと任意の形態の関心カテゴリの間の関連性を含む。
【００３２】
図４は、本発明の一実施形態のブロック図を示す。
サービス提供者２０３は、サービス情報をプロキシプロフィールサーバ２０１（図２）に送信する。
サービス情報は、たとえば、「ニューヨーク市」という位置において「写真撮影」に関心のあるユーザ（たとえば、「写真撮影」および「ニューヨーク市」に関連する関心カテゴリを選択したユーザ）に向けられる。
関心カテゴリおよびユーザに基づき、ユーザ「３」および「５」は、サービス情報を受け取る。
サービス情報に適用されるフィルタまたはユーザの個々の特性を含む個人化フィルタを使用することにより、ユーザを選択してもよい。
マルチキャストメッセージをそれらのユーザと無線通信ネットワークとに送信することにより、サービス情報をユーザ「３」および「５」に通信してもよい。
なお、図４は、５人のユーザと２つの関心カテゴリとを有する表を示すが、本発明は、いかなる数のユーザ、いかなる数の関心カテゴリおよびいかなる数のユーザと関心カテゴリの間の関連性をも含む。
【００３３】
図５は、サービス提供者を関心カテゴリに関連付ける好ましい実施形態の表を示す。
サービス情報を関心カテゴリに関連付ける同様の表を構成することができる。
列５０１における各サービス提供者は、関心カテゴリへの所属の有無を示す関連する行を有する。
行５０２は、サービス提供者に関連する関心カテゴリ例を示す。
【図面の簡単な説明】
【００３４】
【図１】図１は、本発明の一実施形態による方法を表すフローチャートである。
【図２】個人化フィルタを通して選択された個人に対するマルチキャストメッセージの送信のためのシステムの一実施形態のブロック図である。
【図３】図３は、本発明の実施形態による個々のユーザと関心カテゴリとを示す表である。
【図４】本発明の実施形態による個々のユーザと関心カテゴリとの使用を表すブロック図である。
【図５】図５は、本発明の実施形態によるサービス提供者と関心カテゴリとを示す表である。
【符号の説明】
【００３５】
２０１・・・プロフィールプロキシサーバ，
２０２・・・プロフィールデータベース，
２０３・・・サービス提供者，
２０４・・・ルータ，
２０５，２１１・・・基地局，
２１２・・・ネットワークルータ，
【図１】
2006502467.tif 000003
【図２】
2006502467.tif 000004
【図３】
2006502467.tif 000005
【図４】
2006502467.tif 000006
【図５】
2006502467.tif 000007
【国際調査報告】
2006502467.tif 000008
2006502467.tif 000009
2006502467.tif 000010